(57)【要約】【課題】電子回路基板の厚みが変わっても磁気的特性に悪影響が出るのを抑制可能なノイズフィルタを提供する。【解決手段】ノイズフィルタは、第１分割ケースによって第１分割コアを保持可能、かつ第２分割ケースによって第２分割コアを保持可能に構成される。第１分割ケースは、電子回路基板の第１面に取り付け可能に構成される。第２分割ケースは、第１分割ケースが電子回路基板の第１面に取り付けられた状態において、第１面の裏側にある電子回路基板の第２面に配置されて、電子回路基板に設けられた孔又は切欠を通じて第１分割ケースと係合可能に構成される。【選択図】図１
2020072140.tif 000002
【特許請求の範囲】
【請求項１】
磁性コア及びケースを備え、
前記磁性コアは、それぞれが磁性材料によって構成された第１分割コア及び第２分割コアを有し、
前記ケースは、互いに係合可能に構成された第１分割ケース及び第２分割ケースを有し、前記第１分割ケースによって前記第１分割コアを保持可能、かつ前記第２分割ケースによって前記第２分割コアを保持可能に構成され、
前記第１分割ケースは、電子回路基板の第１面に取り付け可能に構成され、
前記第２分割ケースは、前記第１分割ケースが前記電子回路基板の前記第１面に取り付けられた状態において、前記第１面の裏側にある前記電子回路基板の第２面に配置されて、前記電子回路基板に設けられた孔又は切欠を通じて前記第１分割ケースと係合可能に構成され、当該第１分割ケースと前記第２分割ケースとを係合させると、前記電子回路基板に設けられた孔又は切欠を通じて前記第１分割コア及び前記第２分割コアが環状になり、当該環状となった部分によって前記電子回路基板の一部が囲まれるように構成されている
ノイズフィルタ。
【請求項２】
請求項１に記載のノイズフィルタであって、
前記第１分割コアは、
前記ノイズフィルタが前記電子回路基板に取り付けられた際に、前記電子回路基板の前記第１面に沿う位置に配置される第１沿面部と、
前記第１沿面部の両端である第１端部及び第２端部のうち、前記第１端部に突設されており、前記ノイズフィルタが前記電子回路基板に取り付けられた際に、前記電子回路基板を板厚方向に貫通する位置に配置される第１貫通部と、
前記第２端部に突設されており、前記ノイズフィルタが前記電子回路基板に取り付けられた際に、前記電子回路基板を板厚方向に貫通する位置に配置される第２貫通部と
を有し、
前記第２分割コアは、
前記ノイズフィルタが前記電子回路基板に取り付けられた際に、前記電子回路基板の前記第２面に沿う位置に配置される第２沿面部
を有し、
前記第１分割コアは、前記ノイズフィルタが前記電子回路基板に取り付けられた際に、前記第１貫通部及び前記第２貫通部の突出方向先端面で前記第２分割コアに磁気的に接続されるように構成されている
ノイズフィルタ。
【請求項３】
請求項１に記載のノイズフィルタであって、
前記第１分割コアは、
前記ノイズフィルタが前記電子回路基板に取り付けられた際に、前記電子回路基板の前記第１面に沿う位置に配置される第１沿面部と、
前記第１沿面部の両端である第１端部及び第２端部のうち、前記第１端部に突設されており、前記ノイズフィルタが前記電子回路基板に取り付けられた際に、前記電子回路基板を板厚方向に貫通する位置に配置される第１貫通部と、
前記第２端部に突設されており、前記ノイズフィルタが前記電子回路基板に取り付けられた際に、前記電子回路基板を板厚方向に貫通する位置に配置される第２貫通部と
を有し、
前記第２分割コアは、
前記ノイズフィルタが前記電子回路基板に取り付けられた際に、前記電子回路基板の前記第２面に沿う位置に配置される第２沿面部
を有し、
前記第２分割コアは、前記ノイズフィルタが前記電子回路基板に取り付けられた際に、前記第１貫通部と前記第２貫通部との間に配置されて、一方の端面で前記第１貫通部に磁気的に接続され、他方の端面で前記第２貫通部に磁気的に接続されるように構成されている
ノイズフィルタ。
【請求項４】
請求項３に記載のノイズフィルタであって、
前記第２分割ケースは、前記第１分割ケースに対する係合位置を２以上の異なる位置に変更可能に構成され、
前記第１分割コア及び前記第２分割コアは、前記第１分割ケースに対する前記第２分割ケースの係合位置が変更された際に、前記第１沿面部と前記第２沿面部との間の距離が変更されるように構成されている
ノイズフィルタ。
【請求項５】
電子回路基板及びノイズフィルタを備え、
前記電子回路基板は、バスバーを備え、前記バスバーを挟む両側には前記電子回路基板を板厚方向に貫通する第１貫通孔及び第２貫通孔が設けられ、
前記ノイズフィルタは、磁性コア及びケースを備え、
前記磁性コアは、それぞれが磁性材料によって構成された第１分割コア及び第２分割コアを有し、
前記ケースは、互いに係合可能に構成された第１分割ケース及び第２分割ケースを有し、前記第１分割ケースによって前記第１分割コアを保持可能、かつ前記第２分割ケースによって前記第２分割コアを保持可能に構成され、
前記第１分割ケースは、電子回路基板の第１面に取り付け可能に構成され、
前記第２分割ケースは、前記第１分割ケースが前記電子回路基板の前記第１面に取り付けられた状態において、前記第１面の裏側にある前記電子回路基板の第２面に配置されて、前記第１貫通孔及び前記第２貫通孔を通じて前記第１分割ケースと係合可能に構成され、当該第１分割ケースと前記第２分割ケースとを係合させると、前記第１貫通孔及び前記第２貫通孔を通じて前記第１分割コア及び前記第２分割コアが環状になり、当該環状となった部分によって前記電子回路基板の前記バスバーを備える部分が囲まれるように構成されている
ノイズフィルタ付電子回路基板。
【発明の詳細な説明】
【技術分野】
【０００１】
本開示は、ノイズフィルタ及びノイズフィルタ付電子回路基板に関する。
【背景技術】
【０００２】
表面側留め部材及び裏面側留め部材を利用して電子回路基板にフェライトコアを装着する技術が提案されている（例えば、特許文献１参照。）。
【先行技術文献】
【特許文献】
【０００３】
【特許文献１】特開２００３−０６８５３４号公報
【発明の概要】
【発明が解決しようとする課題】
【０００４】
上記特許文献１に記載の技術の場合、表面側留め部材及び裏面側留め部材それぞれが、電子回路基板に対して係合するように構成されている。そのため、電子回路基板が所期の寸法より薄い場合には、表面側留め部材及び裏面側留め部材それぞれと電子回路基板との係合箇所に遊びとなる空隙が生じやすくなる。このような空隙が生じる場合、表面側留め部材及び裏面側留め部材それぞれから一対のコア部材に作用する付勢力が弱まるので、一対のコア部材同士間の密着度は低下し、コア部材の磁気的特性が低下する。
【０００５】
本開示の一局面においては、電子回路基板の厚みが変わっても磁気的特性に悪影響が出るのを抑制可能なノイズフィルタと、そのようなノイズフィルタを備えたノイズフィルタ付電子回路基板を提供することが望ましい。
【課題を解決するための手段】
【０００６】
本開示の一態様は、ノイズフィルタであって、磁性コア及びケースを備える。磁性コアは、それぞれが磁性材料によって構成された第１分割コア及び第２分割コアを有する。ケースは、互いに係合可能に構成された第１分割ケース及び第２分割ケースを有し、第１分割ケースによって第１分割コアを保持可能、かつ第２分割ケースによって第２分割コアを保持可能に構成される。第１分割ケースは、電子回路基板の第１面に取り付け可能に構成される。第２分割ケースは、第１分割ケースが電子回路基板の第１面に取り付けられた状態において、第１面の裏側にある電子回路基板の第２面に配置されて、電子回路基板に設けられた孔又は切欠を通じて第１分割ケースと係合可能に構成され、当該第１分割ケースと第２分割ケースとを係合させると、電子回路基板に設けられた孔又は切欠を通じて第１分割コア及び第２分割コアが環状になり、当該環状となった部分によって電子回路基板の一部が囲まれるように構成されている。
【０００７】
このように構成されたノイズフィルタによれば、第１分割ケースを電子回路基板の第１面に取り付けて、第２分割ケースを電子回路基板の第２面に配置し、電子回路基板に設けられた孔又は切欠を通じて第１分割ケースと第２分割ケースとを係合させることができる。第１分割ケースと第２分割ケースとを係合させると、電子回路基板に設けられた孔又は切欠を通じて第１分割コア及び第２分割コアが環状になり、当該環状となった部分によって電子回路基板の一部が囲まれる。したがって、電子回路基板の一部に設けられた導体の周囲に磁性コアを配置することができ、導体を伝わるノイズ成分を低減させることができる。
【０００８】
また、上記ノイズフィルタによれば、第１分割ケース及び第２分割ケースが互いに係合するように構成されている。そのため、例えば第１分割ケース及び第２分割ケースがそれぞれ電子回路基板に対して取り付けられる場合とは異なり、電子回路基板の厚みが変わっても、それが原因となって第１分割ケースと第２分割ケースとの相対位置に違いが生じることはなく、磁性コアの磁気的特性に悪影響が及ぶのを抑制することができる。したがって、このようなノイズフィルタであれば、厚みが異なる複数種の電子回路基板に対して問題なく取り付けることができる。
【０００９】
本開示の一態様は、ノイズフィルタ付電子回路基板であって、電子回路基板及びノイズフィルタを備える。電子回路基板は、バスバーを備え、バスバーを挟む両側には電子回路基板を板厚方向に貫通する第１貫通孔及び第２貫通孔が設けられる。ノイズフィルタは、磁性コア及びケースを備える。磁性コアは、それぞれが磁性材料によって構成された第１分割コア及び第２分割コアを有する。ケースは、互いに係合可能に構成された第１分割ケース及び第２分割ケースを有し、第１分割ケースによって第１分割コアを保持可能、かつ第２分割ケースによって第２分割コアを保持可能に構成される。第１分割ケースは、電子回路基板の第１面に取り付け可能に構成される。第２分割ケースは、第１分割ケースが電子回路基板の第１面に取り付けられた状態において、第１面の裏側にある電子回路基板の第２面に配置されて、第１貫通孔及び第２貫通孔を通じて第１分割ケースと係合可能に構成され、当該第１分割ケースと第２分割ケースとを係合させると、第１貫通孔及び第２貫通孔を通じて第１分割コア及び第２分割コアが環状になり、当該環状となった部分によって電子回路基板のバスバーを備える部分が囲まれるように構成されている。
【００１０】
このように構成されたノイズフィルタ付電子回路基板によれば、本開示のノイズフィルタと同等な構成を備えているので、本開示のノイズフィルタについて述べた通りの作用、効果を奏する。
【図面の簡単な説明】
【００１１】
【図１】図１Ａは第１実施形態のノイズフィルタを示す斜視図である。図１Ｂは第１実施形態のノイズフィルタ及び電子回路基板を示す斜視図である。
【図２】図２は第１実施形態のノイズフィルタ及び電子回路基板を示す斜視図であり、ノイズフィルタを分解して示す斜視図である。
【図３】図３Ａは第１実施形態のノイズフィルタの平面図である。図３Ｂは第１実施形態のノイズフィルタの正面図である。図３Ｃは第１実施形態のノイズフィルタの右側面図である。図３Ｄは第１実施形態のノイズフィルタの底面図である。
【図４】図４Ａは第１実施形態のノイズフィルタ及び電子回路基板の前後方向に垂直な切断面での断面図である。図４Ｂは第１実施形態のノイズフィルタ及び電子回路基板の左右方向に垂直な切断面での断面図である。
【図５】図５Ａは第２実施形態のノイズフィルタを示す斜視図である。図５Ｂは第２実施形態のノイズフィルタ及び電子回路基板を示す斜視図である。
【図６】図６は第２実施形態のノイズフィルタ及び電子回路基板を示す斜視図であり、ノイズフィルタを分解して示す斜視図である。
【図７】図７Ａは第２実施形態のノイズフィルタの平面図である。図７Ｂは第２実施形態のノイズフィルタの正面図である。図７Ｃは第２実施形態のノイズフィルタの右側面図である。図７Ｄは第２実施形態のノイズフィルタの底面図である。
【図８】図８Ａは第２実施形態のノイズフィルタ及び電子回路基板の前後方向に垂直な切断面での断面図である。図８Ｂは第２実施形態のノイズフィルタ及び電子回路基板の前後方向に垂直な切断面での断面図である。
【図９】図９Ａは第３実施形態のノイズフィルタ及び電子回路基板の前後方向に垂直な切断面での断面図である。図９Ｂは第３実施形態のノイズフィルタ及び電子回路基板の前後方向に垂直な切断面での断面図である。
【発明を実施するための形態】
【００１２】
次に、上述のノイズフィルタについて、例示的な実施形態を挙げて説明する。
（１）第１実施形態
以下の説明では、図中に併記した前後左右上下の各方向を利用して説明を行う。これらの各方向は、ノイズフィルタ１の正面図（図３Ｂ参照。）に表れる箇所が向けられる方向を前、背面図（図示略。背面図は正面図と同一に表れる。）に表れる箇所が向けられる方向を後、左側面図（図示略。左側面図は右側面図と同一に表れる。）に表れる箇所が向けられる方向を左、右側面図（図３Ｃ参照。）に表れる箇所が向けられる方向を右、平面図（図３Ａ参照。）に表れる箇所が向けられる方向を上、底面図（図３Ｄ参照。）に表れる箇所が向けられる方向を下、と規定した相対的な方向である。ただし、これらの各方向は、ノイズフィルタ１を構成する各部の相対的な位置を簡潔に説明するために規定した方向にすぎない。したがって、例えばノイズフィルタ１の使用時等に、ノイズフィルタ１がどのような方向に向けられるかは不定である。
【００１３】
図１Ａ及び図１Ｂに示すように、ノイズフィルタ１は、電子回路基板９１に取り付け可能に構成されている。ノイズフィルタ１は、磁性コア３及びケース５を備える。磁性コア３は、図２に示すように、第１分割コア３Ａ及び第２分割コア３Ｂを有する。ケース５は、第１分割ケース５Ａ及び第２分割ケース５Ｂを有する。
【００１４】
電子回路基板９１は、第１バスバー９３Ａ及び第２バスバー９３Ｂを内蔵している。電子回路基板９１には、第１貫通孔９５Ａ、第２貫通孔９５Ｂ、第１取付孔９７Ａ及び第２取付孔９７Ｂが設けられている。第１貫通孔９５Ａ、第２貫通孔９５Ｂ、第１取付孔９７Ａ及び第２取付孔９７Ｂは、電子回路基板９１を板厚方向（図中でいう上下方向。）に貫通している。第１貫通孔９５Ａ及び第２貫通孔９５Ｂは、２本の第１バスバー９３Ａ及び第２バスバー９３Ｂを挟んで両側（図中でいう左右方向両側。）となる位置に設けられている。第１取付孔９７Ａ及び第２取付孔９７Ｂは、第１貫通孔９５Ａ及び第２貫通孔９５Ｂが設けられた領域を挟んで両側（図中でいう左右方向両側。）となる位置に設けられている。
【００１５】
第１分割コア３Ａ及び第２分割コア３Ｂは、それぞれが磁性材料（本実施形態の場合はフェライト。）によって構成されている。第１分割コア３Ａは、第１沿面部１１Ａ、第１貫通部１３Ａ及び第２貫通部１３Ｂを有する。第２分割コア３Ｂは、第２沿面部１１Ｂを有する。第１沿面部１１Ａは、ノイズフィルタ１が電子回路基板９１に取り付けられた際に、電子回路基板９１の第１面９１Ａ（図中でいう下面。）に沿う位置に配置される。第１貫通部１３Ａは、第１沿面部１１Ａの第１端部１５Ａ（図中でいう左端部。）に突設されている。第２貫通部１３Ｂは、第１沿面部１１Ａの第２端部１５Ｂ（図中でいう右端部。）に突設されている。
【００１６】
ノイズフィルタ１が電子回路基板９１に取り付けられた際、第１貫通部１３Ａは、電子回路基板９１の第１貫通孔９５Ａに通されて、電子回路基板９１を板厚方向に貫通する位置に配置される。第２貫通部１３Ｂは、電子回路基板９１の第２貫通孔９５Ｂに通されて、電子回路基板９１を板厚方向に貫通する位置に配置される。第２沿面部１１Ｂは、ノイズフィルタ１が電子回路基板９１に取り付けられた際に、電子回路基板９１の第２面９１Ｂ（図中でいう上面。）に沿う位置に配置される。
【００１７】
第１分割ケース５Ａは、樹脂材料によって構成されている。第１分割ケース５Ａは、図２、図３Ａ、図３Ｂ、図３Ｃ及び図３Ｄに示すように、第１保持部１７Ａ、第１スナップ部１９Ａ、第２スナップ部１９Ｂ、第１ばね片２１Ａ、第２ばね片２１Ｂ、第３ばね片２１Ｃ、第４ばね片２１Ｄを有する。第１分割ケース５Ａは、図２及び図４Ａに示すように、第１係合片２３Ａ及び第２係合片２３Ｂを有する。第１分割ケース５Ａは、図２及び図４Ｂに示すように、第１爪部２５Ａ及び第２爪部２５Ｂを有する。
【００１８】
第２分割ケース５Ｂは、樹脂材料によって構成されている。第２分割ケース５Ｂは、図２、図３Ａ、図３Ｂ、図３Ｃ及び図４Ａに示すように、第２保持部１７Ｂ、第１係合孔２７Ａ、第２係合孔２７Ｂ、第１付勢部２９Ａ及び第２付勢部２９Ｂを有する。第２分割ケース５Ｂは、図４Ｂに示すように、第３爪部２５Ｃ及び第４爪部２５Ｄを有する。
【００１９】
第１保持部１７Ａは、第１分割コア３Ａを収容可能に構成されている。第１分割コア３Ａには、第１凹部３１Ａ及び第２凹部３１Ｂが形成されている。第１分割コア３Ａが第１保持部１７Ａに収容された際には、図４Ｂに示すように、第１爪部２５Ａが第１凹部３１Ａに引っ掛かり、第２爪部２５Ｂが第２凹部３１Ｂに引っ掛かる。これにより、第１分割コア３Ａは、第１保持部１７Ａから脱落しないように保持される。
【００２０】
第２保持部１７Ｂは、第２分割コア３Ｂを収容可能に構成されている。第２分割コア３Ｂには、第３凹部３１Ｃ及び第４凹部３１Ｄが形成されている。第２分割コア３Ｂが第１保持部１７Ａに収容された際には、図４Ｂに示すように、第３爪部２５Ｃが第３凹部３１Ｃに引っ掛かり、第４爪部２５Ｄが第４凹部３１Ｄに引っ掛かる。これにより、第２分割コア３Ｂは、第２保持部１７Ｂから脱落しないように保持される。
【００２１】
第１スナップ部１９Ａ、第２スナップ部１９Ｂ、第１ばね片２１Ａ、第２ばね片２１Ｂ、第３ばね片２１Ｃ及び第４ばね片２１Ｄは、第１分割ケース５Ａを電子回路基板９１に取り付けるために利用される。具体的には、第１分割ケース５Ａを電子回路基板９１に取り付ける際には、電子回路基板９１の第１面９１Ａ側から、第１スナップ部１９Ａが電子回路基板９１の第１取付孔９７Ａに挿し込まれ、第２スナップ部１９Ｂが電子回路基板９１の第２取付孔９７Ｂに挿し込まれる。
【００２２】
第１スナップ部１９Ａ及び第２スナップ部１９Ｂは、第１取付孔９７Ａ又は第２取付孔９７Ｂへ挿し込まれる際には弾性変形し、第１取付孔９７Ａ又は第２取付孔９７Ｂを通り抜けると変形していた形状が復元し、第１取付孔９７Ａ又は第２取付孔９７Ｂから引き抜き不能となるように構成されている。なお、図１Ａ等に描かれている第１スナップ部１９Ａ及び第２スナップ部１９Ｂの形状は、上述した機能が理解できる程度の概念的な形状となっているが、実製品では更に複雑な形状となっていてもよいことはもちろんである。
【００２３】
第１スナップ部１９Ａ及び第２スナップ部１９Ｂが第１取付孔９７Ａ及び第２取付孔９７Ｂに挿し込まれた際、第１ばね片２１Ａ、第２ばね片２１Ｂ、第３ばね片２１Ｃ及び第４ばね片２１Ｄは、電子回路基板９１の第１面９１Ａ側に加圧接触して弾性変形する。弾性変形した第１ばね片２１Ａ、第２ばね片２１Ｂ、第３ばね片２１Ｃ及び第４ばね片２１Ｄは、第１スナップ部１９Ａ及び第２スナップ部１９Ｂを第１取付孔９７Ａ及び第２取付孔９７Ｂから引き抜く方向へと付勢する。これにより、電子回路基板９１の厚みが異なる場合でも、第１分割ケース５Ａを電子回路基板９１に対してがたつかないように取り付けることができる。
【００２４】
第１係合片２３Ａ、第２係合片２３Ｂ、第１係合孔２７Ａ及び第２係合孔２７Ｂは、第１分割ケース５Ａ及び第２分割ケース５Ｂを互いに係合させるために利用される。具体的には、第１分割ケース５Ａが電子回路基板９１に取り付けられると、第１保持部１７Ａの一部は第１貫通孔９５Ａ及び第２貫通孔９５Ｂの内側に配置され、第１係合片２３Ａ及び第２係合片２３Ｂは、電子回路基板９１の第２面９１Ｂ側に突出する。この状態で、第１係合片２３Ａ及び第２係合片２３Ｂに対して第２分割ケース５Ｂの第１係合孔２７Ａ及び第２係合孔２７Ｂが嵌め込まれ、第１係合片２３Ａと第１係合孔２７Ａが係合し、第２係合片２３Ｂと第２係合孔２７Ｂが係合する。これにより、第１分割ケース５Ａと第２分割ケース５Ｂは互いに係合した状態となる。
【００２５】
第１分割ケース５Ａ及び第２分割ケース５Ｂを係合させると、第１貫通孔９５Ａ及び第２貫通孔９５Ｂを通じて第１分割コア３Ａ及び第２分割コア３Ｂが互いに接触する。より詳しくは、第１分割コア３Ａは、第１貫通部１３Ａ及び第２貫通部１３Ｂの突出方向先端面で第２分割コア３Ｂに接触する。これにより、第１分割コア３Ａ及び第２分割コア３Ｂは環状になり、電子回路基板９１の第１バスバー９３Ａ及び第２バスバー９３Ｂが内蔵された部分は、第１分割コア３Ａ及び第２分割コア３Ｂの環状になった部分によって囲まれる。
【００２６】
第１分割コア３Ａ及び第２分割コア３Ｂが互いに接触した際、第２分割コア３Ｂは第１付勢部２９Ａ及び第２付勢部２９Ｂ側へと押圧され、第１付勢部２９Ａ及び第２付勢部２９Ｂが弾性変形する。第１付勢部２９Ａ及び第２付勢部２９Ｂは、弾性変形に伴って生じる弾性力で第２分割コア３Ｂを第１分割コア３Ａに向かって付勢する。これにより、第１分割コア３Ａと第２分割コア３Ｂの密着度を向上させることができる。
【００２７】
以上説明したノイズフィルタ１によれば、電子回路基板９１に取り付けることにより、第１バスバー９３Ａ及び第２バスバー９３Ｂの周囲を囲む位置に磁性コア３を配置することができ、これにより、第１バスバー９３Ａ及び第２バスバー９３Ｂを伝わるノイズ成分を低減させることができる。
【００２８】
また、上記ノイズフィルタ１によれば、第１分割ケース５Ａが電子回路基板９１に取り付けられて、第１分割ケース５Ａ及び第２分割ケース５Ｂが互いに係合するように構成されている。そのため、例えば第１分割ケース５Ａ及び第２分割ケース５Ｂがそれぞれ電子回路基板９１に対して取り付けられる場合とは異なり、電子回路基板９１の厚みが変わっても、それが原因となって第１分割ケース５Ａと第２分割ケース５Ｂとの相対位置に違いが生じることはなく、磁性コア３の磁気的特性に悪影響が及ぶのを抑制することができる。したがって、このようなノイズフィルタ１であれば、厚みが異なる複数種の電子回路基板９１に対して問題なく取り付けることができる。
【００２９】
（２）第２実施形態
次に、第２実施形態について説明する。なお、第２実施形態は、第１実施形態との相違点を中心に詳述する。第１実施形態と同様な部分に関しては、第１実施形態と共通の符号を付し、詳細な説明を省略する。
【００３０】
以下の説明においても、第１実施形態と同様に、図中に併記した前後左右上下の各方向を利用して説明を行う。これらの各方向は、ノイズフィルタ５１の正面図（図７Ｂ参照。）に表れる箇所が向けられる方向を前、背面図（図示略。背面図は正面図と同一に表れる。）に表れる箇所が向けられる方向を後、左側面図（図示略。左側面図は右側面図と同一に表れる。）に表れる箇所が向けられる方向を左、右側面図（図７Ｃ参照。）に表れる箇所が向けられる方向を右、平面図（図７Ａ参照。）に表れる箇所が向けられる方向を上、底面図（図７Ｄ参照。）に表れる箇所が向けられる方向を下、と規定した相対的な方向である。
【００３１】
図５Ａ及び図５Ｂに示すように、ノイズフィルタ５１は、電子回路基板９１に取り付け可能に構成されている。ノイズフィルタ５１は、磁性コア３及びケース５を備える。磁性コア３は、図６に示すように、第１分割コア３Ａ及び第２分割コア３Ｂを有する。ケース５は、第１分割ケース５Ａ及び第２分割ケース５Ｂを有する。電子回路基板９１は、第１バスバー９３Ａ及び第２バスバー９３Ｂを内蔵している。電子回路基板９１には、第１貫通孔９５Ａ、第２貫通孔９５Ｂ、第１取付孔９７Ａ及び第２取付孔９７Ｂが設けられている。
【００３２】
第２実施形態のノイズフィルタ５１は、第１スナップ部１９Ａ及び第２スナップ部１９Ｂの形状が第１実施形態とは相違する。具体的には、図８Ａ及び図８Ｂに示すように、第１スナップ部１９Ａ及び第２スナップ部１９Ｂは、弾性変形した状態で第１取付孔９７Ａ又は第２取付孔９７Ｂの開口周縁に加圧接触するように構成されている。このとき、第１取付孔９７Ａ又は第２取付孔９７Ｂの開口周縁から第１スナップ部１９Ａ又は第２スナップ部１９Ｂに作用する力の一部は、第１スナップ部１９Ａ及び第２スナップ部１９Ｂを第１取付孔９７Ａ又は第２取付孔９７Ｂへ引き込む方向（図中でいう上方。）に作用する。そのため、第１分割ケース５Ａは、電子回路基板９１側へと引き寄せられる。このような第１スナップ部１９Ａ及び第２スナップ部１９Ｂが設けられていれば、電子回路基板９１の厚みが異なる場合でも、第１分割ケース５Ａを電子回路基板９１の第１面９１Ａにぴったりと密着させて取り付けることができる。
【００３３】
また、第２実施形態のノイズフィルタ５１において、第２分割ケース５Ｂは、第１分割ケース５Ａに対する係合位置を２つの異なる位置に変更可能に構成されている。具体的には、図８Ａ及び図８Ｂに示すように、第２実施形態では、第１係合孔２７Ａ及び第２係合孔２７Ｂの形状が第１実施形態とは相違する。これにより、第１係合孔２７Ａ及び第２係合孔２７Ｂは、異なる２位置で第１係合片２３Ａ及び第２係合片２３Ｂと係合可能となっている。そのため、第２分割ケース５Ｂは、第１分割ケース５Ａに対する相対位置を、第１位置（図８Ａ参照。）及び第２位置（図８Ｂ参照。）のいずれかに変更することができる。
【００３４】
また、第２実施形態のノイズフィルタ５１は、第１分割ケース５Ａに対する第２分割ケース５Ｂの係合位置が変更された際に、第１沿面部１１Ａと第２沿面部１１Ｂとの間の距離が変更されるように構成されている。具体的には、第２実施形態の場合、第１分割コア３Ａと第２分割コア３Ｂとの接触位置が第１実施形態とは相違し、第２分割コア３Ｂは、第１貫通部１３Ａと第２貫通部１３Ｂとの間に配置されている。第２分割コア３Ｂは、一方の端面（図中でいう左端面。）で第１貫通部１３Ａに接触し、他方の端面（図中でいう右端面。）で第２貫通部１３Ｂに接触する。
【００３５】
第２分割コア３Ｂは、第２分割ケース５Ｂに保持されているため、第２分割ケース５Ｂの位置が上述の第１位置及び第２位置のいずれかに変更される場合、第２分割コア３Ｂの位置も第２分割ケース５Ｂとともに変更される。その際、第１分割コア３Ａと第２分割コア３Ｂが上述のような位置で接触していれば、第１分割コア３Ａ及び第２分割コア３Ｂが互いの接触を維持した状態のまま、第２分割コア３Ｂの位置を変更することができる。これにより、磁性コア３が環状に配置されている状態を維持したまま、第１沿面部１１Ａと第２沿面部１１Ｂとの間の距離を変更することができる。
【００３６】
また、第２実施形態のノイズフィルタ５１において、第１分割ケース５Ａは、第３付勢部２９Ｃ及び第４付勢部２９Ｄを有する。第１分割コア３Ａが電子回路基板９１の第１面９１Ａに接触した際、第１分割コア３Ａは第３付勢部２９Ｃ及び第４付勢部２９Ｄ側へと押圧され、第３付勢部２９Ｃ及び第４付勢部２９Ｄが弾性変形する。第３付勢部２９Ｃ及び第４付勢部２９Ｄは、弾性変形に伴って生じる弾性力で第１分割コア３Ａを電子回路基板９１に向かって付勢する。
【００３７】
以上説明したノイズフィルタ５１によれば、電子回路基板９１に取り付けることにより、第１バスバー９３Ａ及び第２バスバー９３Ｂの周囲を囲む位置に磁性コア３を配置することができ、これにより、第１バスバー９３Ａ及び第２バスバー９３Ｂを伝わるノイズ成分を低減させることができる。
【００３８】
また、上記ノイズフィルタ５１によれば、第１分割ケース５Ａが電子回路基板９１に取り付けられて、第１分割ケース５Ａ及び第２分割ケース５Ｂが互いに係合するように構成されている。そのため、例えば第１分割ケース５Ａ及び第２分割ケース５Ｂがそれぞれ電子回路基板９１に対して取り付けられる場合とは異なり、電子回路基板９１の厚みが変わっても、それが原因となって第１分割ケース５Ａと第２分割ケース５Ｂとの相対位置に違いが生じることはなく、磁性コア３の磁気的特性に悪影響が及ぶのを抑制することができる。したがって、このようなノイズフィルタ５１であれば、厚みが異なる複数種の電子回路基板９１に対して問題なく取り付けることができる。
【００３９】
さらに、上記ノイズフィルタ５１の場合、上述のような第１スナップ部１９Ａ及び第２スナップ部１９Ｂが設けられているので、第１実施形態とは異なり、電子回路基板９１の厚みが異なる場合でも、第１分割ケース５Ａを電子回路基板９１の第１面９１Ａにぴったりと密着させて取り付けることができる。
【００４０】
また、上記ノイズフィルタ５１の場合、第１分割ケース５Ａと第２分割ケース５Ｂとの係合位置を２つの異なる位置に変更し、第１沿面部１１Ａと第２沿面部１１Ｂとの間の距離を変更可能に構成されている。したがって、電子回路基板９１の厚みが変わった場合には、それに応じて第１沿面部１１Ａと第２沿面部１１Ｂとの間の距離を変更することができる。
【００４１】
なお、上記第２実施形態では、第１分割ケース５Ａと第２分割ケース５Ｂとの係合位置を２つの異なる位置に変更できるように構成されていたが、係合位置を３つ以上の異なる位置に変更可能に構成されていてもよい。例えば、上記第２実施形態において、第１係合孔２７Ａ及び第２係合孔２７Ｂの内面には、図８Ａ及び図８Ｂに表れる断面形状が２つの歯を有する鋸歯状に見える係合箇所が設けられていたが、これを３つ以上の歯を有する鋸歯状に見える係合箇所に変更すれば、係合位置を３つ以上の異なる位置に変更可能となる。
【００４２】
また、上記第２実施形態では、第１係合孔２７Ａ及び第２係合孔２７Ｂの内面に上記鋸歯状の係合箇所を設けてあったが、第１係合孔２７Ａ及び第２係合孔２７Ｂの内面に設ける係合箇所は１つの歯を有する形状にして、第１係合片２３Ａ及び第２係合片２３Ｂに２以上の歯を有する鋸歯状の係合箇所を設けても、第１分割ケース５Ａと第２分割ケース５Ｂとの係合位置を２以上の異なる位置に変更することができる。
【００４３】
（３）第３実施形態
［ノイズフィルタ６１の構成］
次に、第３実施形態について説明する。なお、第３実施形態は、第１実施形態及び第２実施形態との相違点を中心に詳述する。第１実施形態及び第２実施形態と同様な部分に関しては、第１実施形態及び第２実施形態と共通の符号を付し、詳細な説明を省略する。
【００４４】
図９Ａ及び図９Ｂに示すように、ノイズフィルタ６１は、電子回路基板９１に取り付け可能に構成されている。ノイズフィルタ６１は、磁性コア３及びケース５を備える。磁性コア３は、図６に示すように、第１分割コア３Ａ及び第２分割コア３Ｂを有する。ケース５は、第１分割ケース５Ａ及び第２分割ケース５Ｂを有する。電子回路基板９１は、第１バスバー９３Ａ及び第２バスバー９３Ｂを内蔵している。電子回路基板９１には、第１貫通孔９５Ａ、第２貫通孔９５Ｂ、第１取付孔９７Ａ及び第２取付孔９７Ｂが設けられている。
【００４５】
第３実施形態のノイズフィルタ６１は、第１スナップ部１９Ａ及び第２スナップ部１９Ｂが第２実施形態と同等な構造とされ、第１スナップ部１９Ａ及び第２スナップ部１９Ｂ以外の部分が第１実施形態と同等な構造にされている。このような構造にすれば、第２実施形態のノイズフィルタ５１と同様に、電子回路基板９１の厚みが異なる場合でも、第１分割ケース５Ａを電子回路基板９１の第１面９１Ａにぴったりと密着させて取り付けることができる。
【００４６】
ただし、第３実施形態の場合、第２実施形態とは異なり、磁性コア３が第１沿面部１１Ａと第２沿面部１１Ｂとの間の距離を変更可能な構造ではない。そのため、図９Ａに示すように、電子回路基板９１の厚みが第１沿面部１１Ａと第２沿面部１１Ｂとの間の距離よりも薄い場合には、電子回路基板９１の第２面９１Ｂと第２沿面部１１Ｂとの間に空隙６３が形成される。したがって、このような空隙６３を形成したくない場合には、第２実施形態のような構成を採用すればよく、このような空隙６３が生じても問題がない場合には、第３実施形態のような構成を採用してもよい。
【００４７】
（４）他の実施形態
以上、ノイズフィルタ及びノイズフィルタ付電子回路基板について、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００４８】
例えば、上記各実施形態では、第１スナップ部１９Ａ及び第２スナップ部１９Ｂを例示したが、第１分割ケース５Ａを電子回路基板９１の第１面９１Ａに取り付け可能とするための構成は、例示したようなスナップ機構に限定されない。例えば、第１分割ケース５Ａにねじ孔を設けて、ねじを使って第１分割ケース５Ａを電子回路基板９１の第１面９１Ａに取り付け可能に構成してあってもよい。
【００４９】
また、上記実施形態では、第１分割コア３Ａが、第１沿面部１１Ａ、第１貫通部１３Ａ及び第２貫通部１３Ｂを有し、第２分割コア３Ｂが、第２沿面部１１Ｂを有していたが、磁性コア３の分割位置は種々変更可能である。例えば、第１分割コア３Ａが、第１沿面部１１Ａ及び第１貫通部１３Ａに相当する部分を有し、第２分割コア３Ｂが、第２沿面部１１Ｂ及び第２貫通部１３Ｂに相当する部分を有していてもよい。あるいは、第１貫通部１３Ａ及び第２貫通部１３Ｂに相当する部分を図中でいう上下方向中央付近で２分割し、第１分割コア３Ａが、第１沿面部１１Ａ、第１貫通部１３Ａの上半分及び第２貫通部１３Ｂの上半分に相当する部分を有し、第２分割コア３Ｂが、第２沿面部１１Ｂ、第１貫通部１３Ａの下半分及び第２貫通部１３Ｂの下半分に相当する部分を有していてもよい。あるいは、第１分割コア３Ａが、第１沿面部１１Ａに相当する部分を有し、第２分割コア３Ｂが、第２沿面部１１Ｂ、第１貫通部１３Ａ及び第２貫通部１３Ｂに相当する部分を有していてもよい。さらに、磁性コア３は、第１分割コア３Ａ及び第２分割コア３Ｂの２部品に分割されているものに限定されず、磁性コア３が３以上の分割コアを組み合わせて構成されてもよい。
【００５０】
また、上記実施形態では、第１貫通孔９５Ａ及び第２貫通孔９５Ｂを通じて第１分割コア３Ａ及び第２分割コア３Ｂが互いに接触するように構成されていたが、切欠を通じて第１分割コア３Ａ及び第２分割コア３Ｂが互いに接触するように構成されていてもよい。
【００５１】
また、上記実施形態では、第１分割コア３Ａ及び第２分割コア３Ｂが互いに接触することによって環状になるように構成されていたが、磁気飽和を抑制するために、上記実施形態における第１分割コア３Ａ及び第２分割コア３Ｂの互いの接触面間に、樹脂シートを挟み込んだり空隙を設けたりすることにより、磁気的ギャップを設けてもよい。すなわち、第１分割コア３Ａ及び第２分割コア３Ｂが環状になるように配置されれば、第１分割コア３Ａ及び第２分割コア３Ｂを磁気的に接続して環状の磁路を構成できるので、第１分割コア３Ａと第２分割コア３Ｂが直に接触するか、介在物を挟み込むか、空隙を挟んで対向するかは、いずれの構成を採用してもよい。
【００５２】
また、上記実施形態では、第１分割コア３Ａ及び第２分割コア３Ｂが、第１バスバー９３Ａ及び第２バスバー９３Ｂを囲む位置に配置されるように構成されていたが、１本又は３本以上のバスバーを囲む位置に磁性コアが配置されてもよい。
【００５３】
また、上記第２実施形態のノイズフィルタ５１において、第１分割ケース５Ａには、第３付勢部２９Ｃ及び第４付勢部２９Ｄを設けてあったが、同様の第３付勢部２９Ｃ及び第４付勢部２９Ｄを、第１実施形態のノイズフィルタ１に設けてもよい。
【００５４】
以上の他、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００５５】
（５）補足
なお、以上説明した例示的な実施形態から明らかなように、本開示のノイズフィルタ及びノイズフィルタ付電子回路基板は、更に以下に挙げるような構成を備えていてもよい。
【００５６】
本開示の一態様では、第１分割コアは、第１沿面部と、第１貫通部と、第２貫通部とを有してもよい。第１沿面部は、ノイズフィルタが電子回路基板に取り付けられた際に、電子回路基板の第１面に沿う位置に配置される。第１貫通部は、第１沿面部の両端である第１端部及び第２端部のうち、第１端部に突設されており、ノイズフィルタが電子回路基板に取り付けられた際に、電子回路基板を板厚方向に貫通する位置に配置される。第２貫通部は、第２端部に突設されており、ノイズフィルタが電子回路基板に取り付けられた際に、電子回路基板を板厚方向に貫通する位置に配置される。第２分割コアは、ノイズフィルタが電子回路基板に取り付けられた際に、電子回路基板の第２面に沿う位置に配置される第２沿面部を有してもよい。第１分割コアは、ノイズフィルタが電子回路基板に取り付けられた際に、第１貫通部及び第２貫通部の突出方向先端面で第２分割コアに磁気的に接続されるように構成されていてもよい。
【００５７】
本開示の一態様では、第１分割コアは、第１沿面部と、第１貫通部と、第２貫通部とを有してもよい。第１沿面部は、ノイズフィルタが電子回路基板に取り付けられた際に、電子回路基板の第１面に沿う位置に配置される。第１貫通部は、第１沿面部の両端である第１端部及び第２端部のうち、第１端部に突設されており、ノイズフィルタが電子回路基板に取り付けられた際に、電子回路基板を板厚方向に貫通する位置に配置される。第２貫通部は、第２端部に突設されており、ノイズフィルタが電子回路基板に取り付けられた際に、電子回路基板を板厚方向に貫通する位置に配置される。第２分割コアは、ノイズフィルタが電子回路基板に取り付けられた際に、電子回路基板の第２面に沿う位置に配置される第２沿面部を有してもよい。また、第２分割コアは、ノイズフィルタが電子回路基板に取り付けられた際に、第１貫通部と第２貫通部との間に配置されて、一方の端面で第１貫通部に磁気的に接続され、他方の端面で第２貫通部に磁気的に接続されるように構成されていてもよい。
【００５８】
本開示の一態様では、第２分割ケースは、第１分割ケースに対する係合位置を２以上の異なる位置に変更可能に構成されてもよい。第１分割コア及び第２分割コアは、第１分割ケースに対する第２分割ケースの係合位置が変更された際に、第１沿面部と第２沿面部との間の距離が変更されるように構成されていてもよい。
【符号の説明】
【００５９】
１，５１，６１…ノイズフィルタ、３…磁性コア、３Ａ…第１分割コア、３Ｂ…第２分割コア、５…ケース、５Ａ…第１分割ケース、５Ｂ…第２分割ケース、１１Ａ…第１沿面部、１１Ｂ…第２沿面部、１３Ａ…第１貫通部、１３Ｂ…第２貫通部、１５Ａ…第１端部、１５Ｂ…第２端部、１７Ａ…第１保持部、１７Ｂ…第２保持部、１９Ａ…第１スナップ部、１９Ｂ…第２スナップ部、２１Ａ…第１ばね片、２１Ｂ…第２ばね片、２１Ｃ…第３ばね片、２１Ｄ…第４ばね片、２３Ａ…第１係合片、２３Ｂ…第２係合片、２５Ａ…第１爪部、２５Ｂ…第２爪部、２５Ｃ…第３爪部、２５Ｄ…第４爪部、２７Ａ…第１係合孔、２７Ｂ…第２係合孔、２９Ａ…第１付勢部、２９Ｂ…第２付勢部、２９Ｃ…第３付勢部、２９Ｄ…第４付勢部、３１Ａ…第１凹部、３１Ｂ…第２凹部、３１Ｃ…第３凹部、３１Ｄ…第４凹部、６３…空隙、９１…電子回路基板、９１Ａ…第１面、９１Ｂ…第２面、９３Ａ…第１バスバー、９３Ｂ…第２バスバー、９５Ａ…第１貫通孔、９５Ｂ…第２貫通孔、９７Ａ…第１取付孔、９７Ｂ…第２取付孔。
【図１】
2020072140.tif 000003
【図２】
2020072140.tif 000004
【図３】
2020072140.tif 000005
【図４】
2020072140.tif 000006
【図５】
2020072140.tif 000007
【図６】
2020072140.tif 000008
【図７】
2020072140.tif 000009
【図８】
2020072140.tif 000010
【図９】
2020072140.tif 000011